(57)【要約】      （修正有）【課題】ノートパソコン本体に運搬用機具を直接取り付けることにより、簡易にパソコンを運搬できるようにしたノートパソコン運搬器具を提供する。【解決手段】棒状の支え部分６の一端には、突起状の脱落防止ストッパー１０を設け、他端には、取手８を先端に有する棒状の本体４を支え部分６に対して鋭角に繋げたことを特徴としてノートパソコン運搬用器具を形成する。さらに、中央に取手を通す穴と、表面及び裏面に少なくとも１個のポケットとを設け、周囲にチャックを設けた略長方形の保護用カバーを取り付ける様に構成しても良い。【選択図】図４
0003178296.tif 000002
【実用新案登録請求の範囲】
【請求項１】
ノートパソコンを閉じた状態でノートパソコンのディスプレイ部１と本体基部２との結合部分３のディスプレイ側及びキーボード側の表面を本体４又は本体５の支え部分６又は支え部分７で支え、取手８を持つことにより運搬することができるところを特徴としたノートパソコン運搬用器具
【請求項２】
上記請求項１の器具を取り付けたノートパソコンに取り付け、表面及び裏面に少なくとも１個以上、複数個のポケットを有し、周囲にチャック９をつけることによりノートパソコンを覆うことができるところを特徴とした保護用のカバー
【請求項３】
支え部分６の先端に脱落防止の突起状のストッパー１０を有するノートパソコン運搬用器具
【考案の詳細な説明】
【技術分野】
【０００１】  本考案はノートパソコンの運搬器具に関するものである。
【背景技術】
【０００２】  ノートパソコンの運搬は専用のバックに収納するなどにより運搬していた。
【考案の概要】
【考案が解決しようとする課題】
【０００３】  従来の運搬では短時間、短距離の移動において、そのたびにバック等に収納することは、時間的、労働的負担である。従って、直接ノートパソコン本体に当器具を取り付けることにより前述の欠点を解決しようとするものである。
【課題を解決するための手段】
【０００４】  本考案はノートパソコンを閉じた状態でノートパソコンのディスプレイ部１と本体基部２との結合部分３のディスプレイ側及びキーボード側の表面を本体４又は本体５の支え部分６又は支え部分７で支え、取手８を持つことにより、運搬が容易になり、また、ポケットを有する保護用カバーを当器具を取り付けたノートパソコンに取り付けることにより、ノートパソコンを覆うことができる為、衝撃、汚れを防ぐことができる為、問題点を解決している。
【考案の効果】
【０００５】  上述のように本考案のノートパソコン運搬器具は運搬器具としての目的はもちろん、従来のバック等に入れ運搬するという考えから、ノートパソコン本体を露出することを前提としており、パソコン本体生産者側でのノートパソコンのデザイン性、耐久性、耐衝撃性、広告性などで性能向上が見込め、また使用者側の運搬準備にかかる手間を削減でき移動が楽にできる。また、保護用カバーを使用することによりノートパソコン本体を露出することに抵抗がある使用者にも満足を与える。
【図面の簡単な説明】
【０００６】
【図１】本考案のノートパソコン運搬器具の一実施例を示す正面図である。
【図２】本考案の保護カバーの展開図である。
【図３】ノートパソコンに本器具を取付途中の正面図である。
【図４】本器具４の正面図である。
【図５】本器具５の正面図である。
【考案を実施するための形態】
【０００７】  当器具をノートパソコンが開いた状態でディスプレイ側から、くぐらす様にディスプレイとノートパソコン本体基部との接続部分付近まで下ろし取り付け、そのまま閉じる。もしくは横からノートパソコン本体を挟み込むようにして取り付け、そのまま閉じる。その後、ノートパソコン本体から外れないことを確認し、取っ手を持ち運搬する。必要な場合保護カバーを取り付けてから運搬する。
【実施例】
【０００８】  添付図面に従って一実施例を説明する。
図４及び図５は本体である。この本体にノートパソコンを開いた状態にしたまま
６又は７に掛け、そのまま閉じ運搬するものとする。運搬時必要に応じて保護カバーを付け運搬する。
【符号の説明】
【０００９】  １ノートパソコンのディスプレイ部
２ノートパソコンの本体基部
３ノートパソコンのディスプレイ部と本体基部の接続部分
４本体Ａ
５本体Ｂ
６本体Ａの支え部分
７本体Ｂの支え部分
８取っ手
９保護用カバーの周辺チャック
１０脱落防止ストッパー
【図１】
0003178296.tif 000003
【図２】
0003178296.tif 000004
【図３】
0003178296.tif 000005
【図４】
0003178296.tif 000006
【図５】
0003178296.tif 000007
【手続補正書】
【提出日】平成23年8月24日(2011.8.24)
【手続補正１】
【補正対象書類名】実用新案登録請求の範囲
【補正対象項目名】全文
【補正方法】変更
【補正の内容】
【実用新案登録請求の範囲】
【請求項１】
ノートパソコンを閉じた状態でノートパソコンのディスプレイ部１と本体基部２との結合部分３のディスプレイ側及びキーボード側の表面をプラスチック製又は金属製又は繊維製又はゴム製で棒状又はパイプ状又は板状又はひも状の本体４の支え部分６又は同一構造の本体５の支え部分７で支え、取手８を持つことにより運搬することができるところを特徴としたノートパソコン運搬用器具
【請求項２】
表面及び裏面に少なくとも１個以上、複数個のポケットを有し、周囲にチャック９をつけることによりノートパソコンを覆うことができる保護用のカバーを取り付けたことを特徴とする請求項１記載のノートパソコン運搬器具
【請求項３】
支え部分６の先端に脱落防止の支え部分６の断面より太くした突起状のストッパー１０を有することを特徴とする請求項１記載のノートパソコン運搬用器具
【手続補正書】
【提出日】平成23年12月5日(2011.12.5)
【手続補正１】
【補正対象書類名】実用新案登録請求の範囲
【補正対象項目名】全文
【補正方法】変更
【補正の内容】
【実用新案登録請求の範囲】
【請求項１】
ノートパソコンを閉じた状態でノートパソコンのディスプレイ部１と本体基部２との結合部分３のディスプレイ側及びキーボード側の表面をプラスチック製又は金属製又は繊維製又はゴム製で棒状又はパイプ状又は板状又はひも状の本体４と同一形状、構造の支え部分６又は同一形状、構造の本体５と同一形状、構造の支え部分７で支え、プラスチック製又は金属製又は繊維製又はゴム製で本体４と接着又は溶接又は本体４を覆った取手８を持つことにより運搬することができるところを特徴としたノートパソコン運搬用器具
【請求項２】
表面及び裏面に少なくとも１個以上、複数個のポケットを有し、周囲にチャック９をつけることによりノートパソコンを覆うことができる保護用のカバーを取り付けたことを特徴とする請求項１記載のノートパソコン運搬器具
【請求項３】
支え部分６の先端に脱落防止の支え部分６の断面より太くした突起状のストッパー１０を有することを特徴とする請求項１記載のノートパソコン運搬用器具
【手続補正書】
【提出日】平成24年4月11日(2012.4.11)
【手続補正１】
【補正対象書類名】実用新案登録請求の範囲
【補正対象項目名】全文
【補正方法】変更
【補正の内容】
【実用新案登録請求の範囲】
【請求項１】
ノートパソコンを閉じた状態でノートパソコンのディスプレイ部１と本体基部２との結合部分３のディスプレイ側及びキーボード側の表面を、プラスチック製又は金属製又は繊維製又はゴム製で、棒状又はパイプ状又は板状又はひも状の本体４、と接続されたプラスチック製又は金属製又は繊維製又はゴム製で、棒状又はパイプ状又は板状又はひも状の支え部分６に引っ掛け、本体４に接着又は溶接された、プラスチック製又は金属製又は繊維製又はゴム製で、棒状又はパイプ状又は板状又はひも状の取手８を持つことにより運搬することができるところを特徴としたノートパソコン運搬用器具
【請求項２】
ノートパソコンを閉じた状態でノートパソコンのディスプレイ部１と本体基部２との結合部分３のディスプレイ側及びキーボード側の表面をプラスチック製又は金属製又は繊維製又はゴム製で、棒状又はパイプ状又は板状又はひも状の本体５とプラスチック製又は金属製又は繊維製又はゴム製で、棒状又はパイプ状又は板状又はひも状の支え部分７に引っ掛け、プラスチック製又は金属製又は繊維製又はゴム製で、棒状又はパイプ状又は板状又はひも状で本体５に接着又は溶接された取手８を持つことにより運搬することができるところを特徴としたノートパソコン運搬用器具
【請求項３】
表面及び裏面に少なくとも１個以上のポケットを有し、周囲にプラスチック製又は金属製のチャック９をつけることによりノートパソコンを覆うことができる、プラスチック製又はゴム製又は繊維製の保護用のカバーを取り付けたことを特徴とする請求項１及び請求項２の記載のノートパソコン運搬器具
【請求項４】
支え部分６の先端に脱落防止の支え部分６の断面より太くした突起状でプラスチック製又は金属製又は繊維製又はゴム製で棒状又はパイプ状又は板状又はひも状のストッパー１０を有することを特徴とする請求項１記載のノートパソコン運搬用器具
【手続補正書】
【提出日】平成24年6月21日(2012.6.21)
【手続補正１】
【補正対象書類名】実用新案登録請求の範囲
【補正対象項目名】全文
【補正方法】変更
【補正の内容】
【実用新案登録請求の範囲】
【請求項１】
ノートパソコン運搬用器具であって、棒状の支え部分６の一端には、突起状の脱落防止ストッパー１０を設け、他端には、取手８を先端に有する棒状の本体４を支え部分６に対して鋭角に繋げたことを特徴とするノートパソコン運搬用器具。
【請求項２】
ノートパソコン運搬用器具であって、棒状の支え部分７と棒状の本体５を、支え部分７と本体５が長辺となるように略長方形につなぎ、本体５の中央には、取手８を設けたことを特徴とするノートパソコン運搬用器具。
【請求項３】
請求項１又は２に記載のノートパソコン運搬用器具であって、中央に取手を通す穴と、表面及び裏面に少なくとも１個のポケットとを有し、周囲にチャック９を設けた略長方形の保護用カバーを取り付けたことを特徴とするノートパソコン運搬用器具。